(57)【要約】【課題】  主に集合住宅やオフィス、遊戯室等に使用される二重床に関し、施工品質の安定化、施工性の向上及び遮音性能の向上を図ることができる二重床の端部構造を提供する。【解決手段】  床下地材１及び仕上げ材３を有し、基盤１０上に支持脚４を介して設置する二重床の端部と、基盤１０に設置された垂直部材２０とを固定するための構造であって、断面Ｌ字形のアングル材５により、床下地材１と垂直部材２０との間を固定するようにした二重床の端部構造。なお、アングル材５は、二重床の端部に間隔を空けて取り付けられることが好ましく、また、床下地材１とアングル材５との間に緩衝材６が介在していることが好ましい。【選択図】  図１
2004239054.tif 000002
【特許請求の範囲】
【請求項１】
床下地材（１）及び仕上げ材（３）を有し、基盤（１０）上に支持脚（４）を介して設置する二重床の端部と、基盤（１０）に設置された垂直部材（２０）とを固定するための構造であって、断面Ｌ字形のアングル材（５）により、床下地材（１）と垂直部材（２０）との間を固定するようにしたことを特徴とする二重床の端部構造。
【請求項２】
複数のアングル材（５）が、二重床の端部に間隔を空けて取り付けられていることを特徴とする請求項１に記載の二重床の端部構造。
【請求項３】
アングル材（５）の取り付けピッチが、２００ｍｍ以上であることを特徴とする請求項２に記載の二重床の端部構造。
【請求項４】
床下地材（１）とアングル材（５）との間に、緩衝材（６）が介在していることを特徴とする請求項１から３のいずれか１項に記載の二重床
の端部構造。
【請求項５】
床下地材（１）の上面に積層する緩衝材（６）とアングル材（５）との合計の厚さが、床下地材（１）と仕上げ材（３）との間に介在する捨て板（２）の厚さ以下であることを特徴とする請求項４に記載の二重床の端部構
造。
【請求項６】
アングル材（５）が取り付けられている床下地材（１）の端部から１００ｍｍ以内の位置に、硬度６０°（ＪＩＳ  Ａ）以上の硬さのゴム足（４Ａ）を有する支持脚（４）が追加されていることを特徴とする請求項１から５のいずれか１項に記載の二重床の端部構造。
【請求項７】
床下地材（１）に、アングル材（５）を取り付けるための切欠き（１Ａ）が設けられていることを特徴とする請求項１から３のいずれか１項に記載の二重床の端部構造。
【請求項８】
床下地材（１）が垂直部材（２０）から離れて配置され、床下地材（１）と垂直部材（２０）との隙間にアングル材（５）が取り付けられていることを特徴とする請求項１から３のいずれか１項に記載の二重床の端部構造。
【発明の詳細な説明】
【技術分野】
【０００１】
本発明は、二重床の端部と基盤の垂直部材とを固定する構造に関するものであり、特に、施工品質の安定化、施工性の向上及び遮音性能の向上を図ることができる二重床の端部構造に関するものである。
【背景技術】
【０００２】
二重床は一般に、床下地材、捨て板及び仕上げ材を有しており、その端部は、基盤上の垂直部材に設置された際ネダに固定される。即ち、図６に示すように、二重床は、支持脚４が取り付けられた床下地材１の上に捨て板２及び仕上げ材３が積層された構造となっているが、基盤１０上の垂直部材２０に隣接する端部においては床下地材１が存在せず、際ネダ３０の上に捨て板２及び仕上げ材３が積層され、捨て板２と際ネダ３０との間が釘等で固定される（例えば、特許文献１参照。）。
【特許文献１】特開２０００−３０３６６５号公報  （第２頁、図２、図２９）
【発明の開示】
【発明が解決しようとする課題】
【０００３】
しかしながら、際ネダを使用した端部構造では、際ネダ材料であるムク材の収縮によって際ネダが変形したりヤセたりすることがあり、二重床の設置後半年程で捨て板や仕上げ材と際ネダとの取り合い部間に問題が生ずる場合があった。即ち、二重床の沈み込み、これによる二重床と垂直部材との擦れによる床鳴り、二重床と垂直部材との隙間の発生等の問題が懸念されるのである。
【０００４】
また、際ネダは生材を建築現場合わせで取り付けるため、取り付け精度が悪い場合や垂直部材との一体化の度合いにばらつきが多い場合があり、二重床の施工時に際ネダの取り付けをやり直すこともある。更に、際ネダの使用によって床衝撃音遮断性能に悪影響を与えることもある。
【０００５】
そして、このような問題は、捨て板のない二重床でも存在する。即ち、図７に示すように、捨て板のない二重床の場合、支持脚４の上に受け材８が取り付けられ、この受け材８の上に床下地材１が配置されるが、端部では、床下地材１と際ネダ３０との間が釘等で固定される。したがって、際ネダを使用する限り、上記の問題が発生するのである。
【０００６】
そこで本発明は、主に集合住宅やオフィス、遊戯室等に使用される二重床に関し、施工品質の安定化、施工性の向上及び遮音性能の向上を図ることができる二重床の端部構造を提供することを目的とするものである。
【課題を解決するための手段】
【０００７】
本発明は、以上の課題を解決するためになされたものであって、その要旨は、床下地材及び仕上げ材を有し、基盤上に支持脚を介して設置する二重床の端部と、基盤に設置された垂直部材とを固定するための構造であって、断面Ｌ字形のアングル材により、床下地材と垂直部材との間を固定するようにした二重床の端部構造に係るものである。
【０００８】
そして好ましくは、複数のアングル材が二重床の端部に間隔を空けて取り付けられているものであり、より好ましくは、アングル材の取り付けピッチが２００ｍｍ以上である二重床の端部構造に係るものである。
【０００９】
また、床下地材とアングル材との間に緩衝材を介在させることが好ましく、この場合、床下地材の上面に積層する緩衝材とアングル材との合計の厚さは、床下地材と仕上げ材との間に介在する捨て板の厚さ以下であることが好ましい。更に、アングル材が取り付けられている床下地材の端部から１００ｍｍ以内の位置に、硬度６０°（ＪＩＳ  Ａ）以上の硬さのゴム足を有する支持脚が追加されていることが好ましい。
【００１０】
なお、床下地材に、アングル材を取り付けるための切欠きを設けたり、床下地材と垂直部材とを離して配置し、床下地材と垂直部材との隙間にアングル材を取り付けることもできる。
【発明の効果】
【００１１】
本発明の二重床の端部構造は、床下地材及び仕上げ材を有し、基盤上に支持脚を介して設置する二重床の端部と、基盤に設置された垂直部材とを固定するための構造であって、断面Ｌ字形のアングル材により床下地材と垂直部材との間を固定するようにしたので、主に集合住宅やオフィス、遊戯室等に使用される二重床に関し、施工品質の安定化、施工性の向上及び遮音性能の向上を図ることができる。
【００１２】
そして特に、複数のアングル材が二重床の端部に間隔を空けて取り付けられている場合や、床下地材とアングル材との間に緩衝材が介在している場合には、床衝撃音遮断性能が一層向上する。
【発明を実施するための最良の形態】
【００１３】
本発明における二重床は、床下地材及び仕上げ材を有し、基盤上に支持脚を介して設置されるものである。そして、この二重床の端部は、基盤に設置された垂直部材に固定される。本発明の二重床にあっては、このような端部構造に関し、断面Ｌ字形のアングル材を用い、アングル材により、床下地材と垂直部材との間をビス等で固定する。
【００１４】
このように、本発明の二重床の端部構造は、従来の構造のような際ネダを使用せず、断面Ｌ字形のアングル材を使用して固定することとしたので、木質生材である際ネダのような変形（狂い）がなく、位置決めが容易で、大工技能による品質のばらつきが少なく、しかも、施工後に床鳴り等の問題が発生することもないのである。
【００１５】
アングル材の材質としては、強度的に鋼材を使用することが最適であるが、硬質の樹脂材等であってもよい。また、厚さは、鋼材の場合で０．５ｍｍ以上あることが好ましく、平面部分の２面には、床下地材及び垂直部材との固定用のビス又は釘穴を設けておくことが好ましい。
【００１６】
アングル材の長さは、二重床の端部の全長と同一にすることもできるが、床下地材と垂直部材とを全面的に固定すると床衝撃音遮断性能に悪影響を及ぼすことが懸念される。そこで、複数のアングル材を二重床の端部に間隔を空けて取り付け、部分的な点設置にすることが好ましい。なお、この場合のアングル材の取り付けピッチは、２００ｍｍ以上とすることが好適である。
【００１７】
また、アングル材は、床下地材と直接固定することもできるが、アングル材と床下地材との間に緩衝材を介在させることが好ましい。緩衝材によって振動絶縁効果が得られるからである。なお、緩衝材の位置は、アングル材の向きに合わせて、床下地材の上面に積層したり、床下地材の側面や下面に配置される。
【００１８】
緩衝材の材質としては、木質材、樹脂材、ゴム材等が使用できるが、緩衝材を床下地材の上面に積層する場合には、荷重が作用することを考え、硬質のものとすることが好ましい。具体的には、緩衝材の硬さが、緩衝材が介在する二重床の端部上に大人の標準体重が加わった際に、二重床の端部の沈み込み量が１ｍｍ以下となるように、床下地材や仕上げ材の曲げ剛性、支持脚の位置やゴム足の硬度等も考慮して選定する。
【００１９】
また、床下地材と仕上げ材との間には、通常、捨て板を介在させるが、緩衝材を床下地材の上面に積層してアングル材を取り付ける場合、この部分には捨て板が配置されなくなるので、アングル材の上に仕上げ材が積層されることとなる。そこで、このような場合には、緩衝材とアングル材との合計の厚さが、捨て板の厚さ以下になるようにすることが好ましい。なお、本発明の二重床の端部構造は捨て板がない床工法にも適用できるものであり、その場合は、床下地材に直接仕上げ材が固定されることとなるが、この場合にも、アングル材が床の表面に露出しないようにしておく。
【００２０】
更に、床下地材自身の沈みを抑えるため、アングル材の近傍に沈み防止用の支持脚を追加することが好ましい。具体的には、通常の支持脚とは別に、アングル材が取り付けられている床下地材の端部から１００ｍｍ以内の位置に沈み防止用の支持脚を追加し、この支持脚のゴム足の硬度を、通常のゴム足の硬度よりも硬く（ＪＩＳ  Ａ  ６０°以上）することで、床下地材の沈みを抑える機能が発揮でき、アングル材に対して荷重負荷の軽減が図れ、床の端部に人が乗った場合の床の沈みを１ｍｍ以下に抑えることができる。
【００２１】
なお、床下地材と仕上げ材との間に、捨て板を介在させない場合もある。この場合は、アングル材の取り付け場所が問題となる。そこで、このような場合には、床下地材に、アングル材を取り付けるための切欠きを設けたり、床下地材と垂直部材とを離して配置し、床下地材と垂直部材との隙間にアングル材を取り付けるようにすればよい。
【実施例】
【００２２】
以下、本発明の好ましい実施の形態の具体例を図面に基づいて説明する。図１は、本発明の二重床の端部構造の一例を示す断面図及び斜視図である。図１（Ａ）に示すように、コンクリートの基盤１０には木質材からなる垂直部材２０が設置されている。そして、垂直部材２０に沿って支持脚４が取り付けられた床下地材１が配置され、床下地材１の上に捨て板２及び仕上げ材３が順に積層されて二重床を構成している。
【００２３】
このような二重床の端部は、垂直部材２０に固定されることとなるが、図１に示す実施例では、断面Ｌ字形の鋼材からなるアングル材５を用いている。即ち、アングル材５の１面を床下地材１の上面に積層し、他の１面を垂直部材２０の側面に密着させ、固定ビス７で取り付けている。従って、アングル材５により、床下地材１と垂直部材２０との間が固定される。
【００２４】
ここで、アングル材５は、図１（Ｂ）に示されているように、二重床の端部に間隔を空けて、３００ｍｍピッチで取り付けられている。そして、床下地材１とアングル材５との間には、硬質ゴム材からなる緩衝材６が介在している。この緩衝材６の硬さは、仕上げ材３の沈み込み量が１ｍｍ以下となるように選定されており、歩行時の不快感を軽減等させている。また、緩衝材６とアングル材５との合計の厚さは、捨て板２の厚さと同一になっている。
【００２５】
このように、図１に示す実施例では、アングル材５が緩衝材６を介して床下地材１と固定されており、かつ、点設置となっているため、従来の際ネダを使用して際ネダの全長に固定した場合と比較して、振動絶縁効果において約５ｄＢの改善が図られている。また、床下地材１の端部から１００ｍｍの位置に、通常の支持脚とは別に、硬度７０°（ＪＩＳ  Ａ）の硬さのゴム足４Ａを有する支持脚４が追加されているので、床下地材１の沈みが抑えられ、アングル材５の荷重負荷の軽減が図れ、床の端部に人が乗った場合の床の沈みを１ｍｍ以下に抑えることができる。
【００２６】
図２は、本発明の二重床の端部構造に使用するアングル材５の応用例を示す図である。即ち、図２（Ａ）に示すアングル材５は、図１の実施例に使用したものであるが、垂直部材の取り付け可能面積が小さい場合には、図２（Ｂ）に示すような異型のアングル材５を使用するとよい。
【００２７】
図３は、本発明の二重床の端部構造の施工手順を示す斜視図である。即ち、最初に、図３（Ａ）に示す通り、固定ビス７を用いて垂直部材２０にアングル材５を取り付けておく。
【００２８】
次に、図３（Ｂ）に示す通り、アングル材５と干渉しないように端部を切り欠いた捨て板２を使用するか、アングル材５の部分を避けて床下地材１の上に積層した捨て板２を使用して、アングル材５の下側に床下地材１を配置する。なお、この際、床下地材１とアングル材５との間に緩衝材６を介在させておく。
【００２９】
そして、図３（Ｂ）に示す通り、固定ビス７を用いて床下地材１とアングル材５とを固定する。最後に、捨て板２とアングル材５の上面に、図示を省略した仕上げ材を配置して、二重床の端部と垂直部材とが固定される。なお、図３に示す例のアングル材５は、図１に示したような部分的なものではなく、端部の全長に使用した事例となっている。
【００３０】
図４は、本発明の二重床の端部構造の他の例を示す断面図及び平面図である。図４に示す例は、捨て板のない二重床の端部構造であり、図４（Ａ）に示すように、コンクリートの基盤１０には木質材からなる垂直部材２０が設置されている。また、コンクリートの基盤１０にはゴム足４Ｂを有する支持脚４も設置されている。そして、支持脚４の上に受け材８が取り付けられ、受け材８の上に床下地材１が配置され、床下地材１の上に仕上げ材３が積層されて二重床を構成している。
【００３１】
このような捨て板のない二重床の端部も、垂直部材２０に固定されることとなる。そして、図４に示す実施例では、断面Ｌ字形の鋼材からなるアングル材５を用いて固定している。即ち、アングル材５の１面を受け材８の上面に積層し、他の１面を垂直部材２０の側面に密着させ、固定ビス７で取り付けている。従って、アングル材５及び受け材８により、床下地材１と垂直部材２０との間が固定される。
【００３２】
ここで、図４（Ｂ）に示すように、床下地材１には切欠き１Ａが設けられている。そして、この切欠き１Ａの部分にアングル材５が取り付けられている。なお、仕上げ材３は、図４（Ｂ）では図示を省略しているが、図４（Ａ）に示すように、切欠き１Ａは仕上げ材３で覆われる。
【００３３】
図５は、本発明の二重床の端部構造の更に他の例を示す断面図及び平面図である。図５に示す例は、図４の例と同様に、捨て板のない二重床の端部構造であるが、アングル材５の取り付け方法が異なっている。即ち、図５に示す例では、床下地材１と垂直部材２０とを離して配置し、床下地材１と垂直部材２０との隙間にアングル材５を取り付けている。
【産業上の利用可能性】
【００３４】
本発明の二重床の端部構造は、断面Ｌ字形のアングル材により、床下地材と垂直部材との間を固定するようにしたものであり、二重床の端部と、基盤の垂直部材とを固定する構造に幅広く利用することができる。
【図面の簡単な説明】
【００３５】
【図１】図１は、本発明の二重床の端部構造の一例を示す断面図及び斜視図である。
【図２】図２は、本発明の二重床の端部構造に使用するアングル材の応用例を示す図である。
【図３】図３は、本発明の二重床の端部構造の施工手順を示す斜視図である。
【図４】図４は、本発明の二重床の端部構造の他の例を示す断面図及び平面図である。
【図５】図５は、本発明の二重床の端部構造の更に他の例を示す断面図及び平面図である。
【図６】図６は、捨て板のある従来の二重床の端部構造を示す断面図である。
【図７】図７は、捨て板のない従来の二重床の端部構造を示す断面図である。
【符号の説明】
【００３６】
１‥床下地材
２‥捨て板
３‥仕上げ材
４‥支持脚
４Ａ，４Ｂ‥ゴム足
５‥アングル材
６‥緩衝材
７‥固定ビス
８‥受け材
１０‥基盤
２０‥垂直部材
３０‥際ネダ
【図１】
2004239054.tif 000003
【図２】
2004239054.tif 000004
【図３】
2004239054.tif 000005
【図４】
2004239054.tif 000006
【図５】
2004239054.tif 000007
【図６】
2004239054.tif 000008
【図７】
2004239054.tif 000009